【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
所定の画像データから被写体の画像と、被写体を除く部分の非被写体画像とを識別する識別手段と、
該識別手段で識別された前記非被写体画像を加工する加工手段と、
を有し、
前記識別手段は、
前記所定の画像データに基づく画像を均一色領域に分割する領域分割手段と、
該領域分割手段で分割された各領域が前記画像の縁部に接触しているか否かを判定する縁部接触判定手段と、
該縁部接触判定手段で画像の縁部に接触していると判定された領域の凹凸度を算出する凹凸度算出手段と、
前記縁部接触判定手段で画像の縁部に接触していると判定された領域において当該領域の縁部に接するエッジ領域のエッジ量を算出するエッジ量算出手段と、
前記凹凸度と前記エッジ領域のエッジ量の分布の少なくとも一方に基づいて前記領域の画像が非被写体画像であるか否かを判定する非被写体判定手段と、
を備えることを特徴とする画像処理装置。
【請求項２】
前記凹凸度算出手段は、前記縁部接触判定手段で画像の縁部に接触していると判定された領域の縁部の円形度を算出し、
前記非被写体判定手段は、前記円形度が所定の閾値以上である場合に、当該領域の画像を非被写体画像であると判定することを特徴とする請求項１に記載の画像処理装置。
【請求項３】
前記凹凸度算出手段は、前記縁部接触判定手段で画像の縁部に接触していると判定された領域において所定の径の孔数を算出し、
前記非被写体判定手段は、前記孔数が所定の閾値以下である場合に、当該領域の画像を非被写体画像であると判定することを特徴とする請求項１または請求項２の何れかに記載の画像処理装置。
【請求項４】
前記非被写体判定手段は、前記孔数，円形度を引数とした凹凸度の関数に基づいて、凹凸度を算出し、前記領域の画像が非被写体画像であるか否かを判定することを特徴とする請求項１から請求項３の何れかに記載の画像処理装置。
【請求項５】
前記加工手段は、前記非被写体判定手段で判定された非被写体画像を削除することを特徴とする請求項１から請求項４の何れかに記載の画像処理装置。
【請求項６】
前記加工手段は、前記非被写体判定手段で判定された非被写体画像を所定の色で塗りつぶすことを特徴とする請求項１から請求項５の何れかに記載の画像処理装置。
【請求項７】
前記加工手段は、
前記非被写体判定手段で判定された非被写体画像について画素補完するための方向を決定する画素補完方向決定手段と、
前記画像データあるいは均一色領域の分割結果および前記画素補完方向決定手段で決定された方向に基づいて非被写体画像の画素を補完する画素補完手段と、
を備えることを特徴とする請求項１から請求項５の何れかに記載の画像処理装置。
【請求項８】
前記非被写体判定手段で判定された非被写体画像を含む画像データについては、所定の記憶手段への格納、印刷出力および表示出力の少なくとも一つを禁止する制御手段を備えることを特徴とする請求項１から請求項７の何れかに記載の画像処理装置。
【請求項９】
前記請求項１から請求項８の何れかに記載の画像処理装置と、
通信手段を介して前記画像処理装置と接続される１または２以上の情報処理装置と、
から構成されることを特徴とする画像処理システム。
【請求項１０】
所定の画像データから被写体の画像と、被写体を除く部分の非被写体画像とを識別する識別過程と、
該識別手段で識別された前記非被写体画像を加工する加工過程と、
を有し、
前記識別過程は、
前記所定の画像データに基づく画像を均一色領域に分割する領域分割過程と、
該領域分割過程で分割された各領域が前記画像の縁部に接触しているか否かを判定する縁部接触判定過程と、
該縁部接触判定過程で画像の縁部に接触していると判定された領域の凹凸度を算出する凹凸度算出過程と、
前記縁部接触判定過程で画像の縁部に接触していると判定された領域において当該領域の縁部に接するエッジ領域のエッジ量を算出するエッジ量算出過程と、
前記凹凸度と前記エッジ領域のエッジ量の分布の少なくとも一方に基づいて前記領域の画像が非被写体画像であるか否かを判定する非被写体判定過程と、
を有し、
前記各過程を演算手段に実行させることを特徴とする画像処理プログラム。
【請求項１１】
前記凹凸度算出過程は、前記縁部接触判定過程で画像の縁部に接触していると判定された領域の縁部の円形度を算出し、
前記非被写体判定過程は、前記円形度が所定の閾値以上である場合に、当該領域の画像を非被写体画像であると判定することを特徴とする請求項１０に記載の画像処理プログラム。
【請求項１２】
前記凹凸度算出過程は、前記縁部接触判定過程で画像の縁部に接触していると判定された領域において所定の径の孔数を算出し、
前記非被写体判定過程は、前記孔数が所定の閾値以下である場合に、当該領域の画像を非被写体画像であると判定することを特徴とする請求項１０または請求項１１の何れかに記載の画像処理プログラム。
【請求項１３】
前記非被写体判定過程は、前記孔数，円形度を引数とした凹凸度の関数に基づいて、凹凸度を算出し、前記領域の画像が非被写体画像であるか否かを判定することを特徴とする請求項１０から請求項１２の何れかに記載の画像処理プログラム。
【請求項１４】
前記加工過程は、前記非被写体判定過程で判定された非被写体画像を削除することを特徴とする請求項１０から請求項１３の何れかに記載の画像処理プログラム。
【請求項１５】
前記加工過程は、前記非被写体判定過程で判定された非被写体画像を所定の色で塗りつぶすことを特徴とする請求項１０から請求項１３の何れかに記載の画像処理プログラム。
【請求項１６】
前記加工過程は、
前記非被写体判定過程で判定された非被写体画像について画素補完するための方向を決定する画素補完方向決定過程と、
前記画像データあるいは均一色領域の分割結果および前記画素補完方向決定過程で決定された方向に基づいて非被写体画像の画素を補完する画素補完過程と、
を有することを特徴とする請求項１０から請求項１３の何れかに記載の画像処理プログラム。
【請求項１７】
前記非被写体判定過程で判定された非被写体画像を含む画像データについては、所定の記憶手段への格納、印刷出力および表示出力の少なくとも一つを禁止する制御過程を有することを特徴とする請求項１０から請求項１６の何れかに記載の画像処理プログラム。
【手続補正２】
【補正対象書類名】明細書
【補正対象項目名】００１５
【補正方法】変更
【補正の内容】
【００１５】
前記課題を解決するため、請求項１の発明に係る画像処理装置は、所定の画像データから被写体の画像と、被写体を除く部分の非被写体画像とを識別する識別手段と、該識別手段で識別された前記非被写体画像を加工する加工手段とを有し、前記識別手段は、前記所定の画像データに基づく画像を均一色領域に分割する領域分割手段と、該領域分割手段で分割された各領域が前記画像の縁部に接触しているか否かを判定する縁部接触判定手段と、該縁部接触判定手段で画像の縁部に接触していると判定された領域の凹凸度を算出する凹凸度算出手段と、前記縁部接触判定手段で画像の縁部に接触していると判定された領域において当該領域の縁部に接するエッジ領域のエッジ量を算出するエッジ量算出手段と、前記凹凸度と前記エッジ領域のエッジ量の分布の少なくとも一方に基づいて前記領域の画像が非被写体画像であるか否かを判定する非被写体判定手段とを備えることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
請求項２の発明に係る画像処理装置は、請求項１に記載の発明について、前記凹凸度算出手段は、前記縁部接触判定手段で画像の縁部に接触していると判定された領域の縁部の円形度を算出し、前記非被写体判定手段は、前記円形度が所定の閾値以上である場合に、当該領域の画像を非被写体画像であると判定することを特徴とする。
【手続補正５】
【補正対象書類名】明細書
【補正対象項目名】００１８
【補正方法】変更
【補正の内容】
【００１８】
請求項３の発明に係る画像処理装置は、請求項１または請求項２の何れかに記載の発明について、前記凹凸度算出手段は、前記縁部接触判定手段で画像の縁部に接触していると判定された領域において所定の径の孔数を算出し、前記非被写体判定手段は、前記孔数が所定の閾値以下である場合に、当該領域の画像を非被写体画像であると判定することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項４の発明に係る画像処理装置は、請求項１から請求項３の何れかに記載の発明について、前記非被写体判定手段は、前記孔数，円形度を引数とした凹凸度の関数に基づいて、凹凸度を算出し、前記領域の画像が非被写体画像であるか否かを判定することを特徴とする。
【手続補正８】
【補正対象書類名】明細書
【補正対象項目名】００２１
【補正方法】変更
【補正の内容】
【００２１】
請求項５の発明に係る画像処理装置は、請求項１から請求項４の何れかに記載の発明について、前記加工手段は、前記非被写体判定手段で判定された非被写体画像を削除することを特徴とする。
【手続補正９】
【補正対象書類名】明細書
【補正対象項目名】００２２
【補正方法】変更
【補正の内容】
【００２２】
請求項６の発明に係る画像処理装置は、請求項１から請求項５の何れかに記載の発明について、前記加工手段は、前記非被写体判定手段で判定された非被写体画像を所定の色で塗りつぶすことを特徴とする。
【手続補正１０】
【補正対象書類名】明細書
【補正対象項目名】００２３
【補正方法】変更
【補正の内容】
【００２３】
請求項７の発明に係る画像処理装置は、請求項１から請求項５の何れかに記載の発明について、前記加工手段は、前記非被写体判定手段で判定された非被写体画像について画素補完するための方向を決定する画素補完方向決定手段と、前記画像データあるいは均一色領域の分割結果および前記画素補完方向決定手段で決定された方向に基づいて非被写体画像の画素を補完する画素補完手段とを備えることを特徴とする。
【手続補正１１】
【補正対象書類名】明細書
【補正対象項目名】００２４
【補正方法】変更
【補正の内容】
【００２４】
請求項８の発明に係る画像処理装置は、請求項１から請求項７の何れかに記載の発明について、前記非被写体判定手段で判定された非被写体画像を含む画像データについては、所定の記憶手段への格納、印刷出力および表示出力の少なくとも一つを禁止する制御手段を備えることを特徴とする。
【手続補正１２】
【補正対象書類名】明細書
【補正対象項目名】００２５
【補正方法】変更
【補正の内容】
【００２５】
請求項９の発明に係る画像処理システムは、前記請求項１から請求項８の何れかに記載の画像処理装置と、通信手段を介して前記画像処理装置と接続される１または２以上の情報処理装置とから構成されることを特徴とする。
【手続補正１３】
【補正対象書類名】明細書
【補正対象項目名】００２６
【補正方法】変更
【補正の内容】
【００２６】
請求項１０の発明に係る画像処理プログラムは、所定の画像データから被写体の画像と、被写体を除く部分の非被写体画像とを識別する識別過程と、該識別手段で識別された前記非被写体画像を加工する加工過程とを有し、前記識別過程は、前記所定の画像データに基づく画像を均一色領域に分割する領域分割過程と、該領域分割過程で分割された各領域が前記画像の縁部に接触しているか否かを判定する縁部接触判定過程と、該縁部接触判定過程で画像の縁部に接触していると判定された領域の凹凸度を算出する凹凸度算出過程と、前記縁部接触判定過程で画像の縁部に接触していると判定された領域において当該領域の縁部に接するエッジ領域のエッジ量を算出するエッジ量算出過程と、前記凹凸度と前記エッジ領域のエッジ量の分布の少なくとも一方に基づいて前記領域の画像が非被写体画像であるか否かを判定する非被写体判定過程とを有し、前記各過程を演算手段に実行させることを特徴とする。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
請求項１１の発明に係る画像処理プログラムは、請求項１０に記載の発明について、前記凹凸度算出過程は、前記縁部接触判定過程で画像の縁部に接触していると判定された領域の縁部の円形度を算出し、前記非被写体判定過程は、前記円形度が所定の閾値以上である場合に、当該領域の画像を非被写体画像であると判定することを特徴とする。
【手続補正１６】
【補正対象書類名】明細書
【補正対象項目名】００２９
【補正方法】変更
【補正の内容】
【００２９】
請求項１２の発明に係る画像処理プログラムは、請求項１０または請求項１１の何れかに記載の発明について、前記凹凸度算出過程は、前記縁部接触判定過程で画像の縁部に接触していると判定された領域において所定の径の孔数を算出し、前記非被写体判定過程は、前記孔数が所定の閾値以下である場合に、当該領域の画像を非被写体画像であると判定することを特徴とする。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】変更
【補正の内容】
【００３１】
請求項１３の発明に係る画像処理プログラムは、請求項１０から請求項１２の何れかに記載の発明について、前記非被写体判定過程は、前記孔数，円形度を引数とした凹凸度の関数に基づいて、凹凸度を算出し、前記領域の画像が非被写体画像であるか否かを判定することを特徴とする。
【手続補正１９】
【補正対象書類名】明細書
【補正対象項目名】００３２
【補正方法】変更
【補正の内容】
【００３２】
請求項１４の発明に係る画像処理プログラムは、請求項１０から請求項１３の何れかに記載の発明について、前記加工過程は、前記非被写体判定過程で判定された非被写体画像を削除することを特徴とする。
【手続補正２０】
【補正対象書類名】明細書
【補正対象項目名】００３３
【補正方法】変更
【補正の内容】
【００３３】
請求項１５の発明に係る画像処理プログラムは、請求項１０から請求項１３の何れかに記載の発明について、前記加工過程は、前記非被写体判定過程で判定された非被写体画像を所定の色で塗りつぶすことを特徴とする。
【手続補正２１】
【補正対象書類名】明細書
【補正対象項目名】００３４
【補正方法】変更
【補正の内容】
【００３４】
請求項１６の発明に係る画像処理プログラムは、請求項１０から請求項１３の何れかに記載の発明について、前記加工過程は、前記非被写体判定過程で判定された非被写体画像について画素補完するための方向を決定する画素補完方向決定過程と、前記画像データあるいは均一色領域の分割結果および前記画素補完方向決定過程で決定された方向に基づいて非被写体画像の画素を補完する画素補完過程とを有することを特徴とする。
【手続補正２２】
【補正対象書類名】明細書
【補正対象項目名】００３５
【補正方法】変更
【補正の内容】
【００３５】
請求項１７の発明に係る画像処理プログラムは、請求項１０から請求項１６の何れかに記載の発明について、前記非被写体判定過程で判定された非被写体画像を含む画像データについては、所定の記憶手段への格納、印刷出力および表示出力の少なくとも一つを禁止する制御過程を有することを特徴とする。
【手続補正２３】
【補正対象書類名】明細書
【補正対象項目名】００３７
【補正方法】変更
【補正の内容】
【００３７】
すなわち、請求項１に記載の発明によれば、本構成を有していない場合に比較して、凹凸度とボケ具合の少なくとも一方に基づいて領域の画像が非被写体画像であるか否かを判定しているので、撮影画像から非被写体の画像を効率よく識別して、非被写体の画像の加工を的確に行うことができ、また、エッジ量の分布または分散に応じて領域の画像が非被写体画像であるか否かを判定しているので、撮影画像から非被写体の画像を効率よく識別して、非被写体の画像の加工をより的確に行うことができるという優れた効果がある。
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】変更
【補正の内容】
【００３９】
請求項２に記載の発明によれば、本構成を有していない場合に比較して、円形度が所定の閾値以上である場合に領域の画像を非被写体画像であると判定しているので、撮影画像から非被写体の画像を効率よく識別して、非被写体の画像の加工をより的確に行うことができる。
【手続補正２６】
【補正対象書類名】明細書
【補正対象項目名】００４０
【補正方法】変更
【補正の内容】
【００４０】
請求項３に記載の発明によれば、本構成を有していない場合に比較して、孔数が所定の閾値以下である場合に領域の画像を非被写体画像であると判定しているので、撮影画像から非被写体の画像を効率よく識別して、非被写体の画像の加工をより的確に行うことができる。
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】変更
【補正の内容】
【００４２】
請求項４に記載の発明によれば、本構成を有していない場合に比較して、孔数，円形度を引数とした凹凸度の関数に基づいて、凹凸度を算出し、領域の画像が非被写体画像であるか否かを判定しているので、撮影画像から非被写体の画像を効率よく識別して、非被写体の画像の加工をより的確に行うことができる。
【手続補正２９】
【補正対象書類名】明細書
【補正対象項目名】００４３
【補正方法】変更
【補正の内容】
【００４３】
請求項５に記載の発明によれば、本構成を有していない場合に比較して、非被写体判定手段で判定された非被写体画像を削除するようにしているので、被写体をより明確にした画像を得ることができる。
【手続補正３０】
【補正対象書類名】明細書
【補正対象項目名】００４４
【補正方法】変更
【補正の内容】
【００４４】
請求項６に記載の発明によれば、本構成を有していない場合に比較して、非被写体判定手段で判定された非被写体画像を所定の色で塗りつぶすようにしているので、操作者等に非被写体画像を明確に示すことができ、画像の処理方法の判断等に指針を与えることができる。
【手続補正３１】
【補正対象書類名】明細書
【補正対象項目名】００４５
【補正方法】変更
【補正の内容】
【００４５】
請求項７に記載の発明によれば、本構成を有していない場合に比較して、非被写体画像の画素を補完する画素補完手段等を備えているので、被写体をより明確にした画像を得ることができる。
【手続補正３２】
【補正対象書類名】明細書
【補正対象項目名】００４６
【補正方法】変更
【補正の内容】
【００４６】
請求項８に記載の発明によれば、本構成を有していない場合に比較して、所定の記憶手段への格納、印刷出力および表示出力の少なくとも一つを禁止する制御手段を備えているので、非被写体画像を含む所謂失敗写真を保存しないようにでき、記憶手段の記憶容量を効率的に利用することができると共に、撮影者が画像の分類（例えば、うまく撮れた写真と所謂失敗写真の分類）を行う手間を省くことができる。また、印刷を行わないようにした場合には、不要な印刷物を減らすことができる。
【手続補正３３】
【補正対象書類名】明細書
【補正対象項目名】００４７
【補正方法】変更
【補正の内容】
【００４７】
請求項９に記載の発明によれば、本構成を有していない場合に比較して、撮影画像から非被写体の画像を効率よく識別して、非被写体の画像の加工を的確に行うことができるという優れた効果がある。
【手続補正３４】
【補正対象書類名】明細書
【補正対象項目名】００４８
【補正方法】変更
【補正の内容】
【００４８】
請求項１０に記載の発明によれば、本構成を有していない場合に比較して、凹凸度とボケ具合の少なくとも一方に基づいて領域の画像が非被写体画像であるか否かを判定しているので、撮影画像から非被写体の画像を効率よく識別して、非被写体の画像の加工を的確に行うことができ、また、エッジ量の分布または分散に応じて領域の画像が非被写体画像であるか否かを判定しているので、撮影画像から非被写体の画像を効率よく識別して、非被写体の画像の加工をより的確に行うことができるという優れた効果がある。
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】変更
【補正の内容】
【００５０】
請求項１１に記載の発明によれば、本構成を有していない場合に比較して、円形度が所定の閾値以上である場合に領域の画像を非被写体画像であると判定しているので、撮影画像から非被写体の画像を効率よく識別して、非被写体の画像の加工をより的確に行うことができる。
【手続補正３７】
【補正対象書類名】明細書
【補正対象項目名】００５１
【補正方法】変更
【補正の内容】
【００５１】
請求項１２に記載の発明によれば、本構成を有していない場合に比較して、孔数が所定の閾値以下である場合に領域の画像を非被写体画像であると判定しているので、撮影画像から非被写体の画像を効率よく識別して、非被写体の画像の加工をより的確に行うことができる。
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】変更
【補正の内容】
【００５３】
請求項１３に記載の発明によれば、本構成を有していない場合に比較して、孔数，円形度を引数とした凹凸度の関数に基づいて、凹凸度を算出し、領域の画像が非被写体画像であるか否かを判定しているので、撮影画像から非被写体の画像を効率よく識別して、非被写体の画像の加工をより的確に行うことができる。
【手続補正４０】
【補正対象書類名】明細書
【補正対象項目名】００５４
【補正方法】変更
【補正の内容】
【００５４】
請求項１４に記載の発明によれば、本構成を有していない場合に比較して、非被写体判定手段で判定された非被写体画像を削除するようにしているので、被写体をより明確にした画像を得ることができる。
【手続補正４１】
【補正対象書類名】明細書
【補正対象項目名】００５５
【補正方法】変更
【補正の内容】
【００５５】
請求項１５に記載の発明によれば、本構成を有していない場合に比較して、非被写体判定過程で判定された非被写体画像を所定の色で塗りつぶすようにしているので、操作者等に非被写体画像を明確に示すことができ、画像の処理方法の判断等に指針を与えることができる。
【手続補正４２】
【補正対象書類名】明細書
【補正対象項目名】００５６
【補正方法】変更
【補正の内容】
【００５６】
請求項１６に記載の発明によれば、本構成を有していない場合に比較して、非被写体画像の画素を補完する画素補完過程等を有しているので、被写体をより明確にした画像を得ることができる。
【手続補正４３】
【補正対象書類名】明細書
【補正対象項目名】００５７
【補正方法】変更
【補正の内容】
【００５７】
請求項１７に記載の発明によれば、本構成を有していない場合に比較して、所定の記憶手段への格納、印刷出力および表示出力の少なくとも一つを禁止する制御手段を備えているので、非被写体画像を含む所謂失敗写真を保存しないようにでき、記憶手段の記憶容量を効率的に利用することができると共に、撮影者が画像の分類（例えば、うまく撮れた写真と所謂失敗写真の分類）を行う手間を省くことができる。また、印刷を行わないようにした場合には、不要な印刷物を減らすことができる。